(57)【要約】【課題】プランジャ５を外周側から摺動自在に支持する電磁弁１において、ヨーク３とプランジャ５との間の磁気ロスを低減して軸方向の磁気吸引力強化を達成する。【解決手段】電磁弁１によれば、ヨーク３は、内周側に突出してプランジャ５と磁束の受渡しを行う磁束受渡部２０を有し、磁束受渡部２０の内周端は、プランジャ５の外周面に直接的に対向している。これにより、プランジャ５は、ソレノイド部８の軸方向他端側で、ヨーク３の一部である磁束受渡部２０との間で径方向において直接的に磁束の受渡しができる。すなわち、ヨーク３とプランジャ５との間の磁束の受渡しは、ヨーク３とプランジャ５との間の１つの磁気ギャップのみを介して行われる。このため、ヨーク３とプランジャ５との間の磁気ロスが低減されるので、軸方向の磁気吸引力強化を達成することができる。【選択図】図１
2009014070.tif 000002
【特許請求の範囲】
【請求項１】
通電を受けて磁界を発生するソレノイドコイルと、
このソレノイドコイルの外周側に配されて磁束を通すヨークと、
前記ソレノイドコイルの内周側に配され、磁界の発生により軸方向に変位して弁体を変位させるプランジャと、
このプランジャを外周側から軸方向に摺動自在に支持する支持部材とを備える電磁弁において、
前記ヨークは、内周側に突出して前記プランジャと磁束の受渡しを行う磁束受渡部を有し、
この磁束受渡部の内周端は、前記プランジャの外周面に直接的に対向していることを特徴とする電磁弁。
【請求項２】
請求項１に記載の電磁弁において、
前記支持部材は、非磁性材料を素材として設けられていることを特徴とする電磁弁。
【発明の詳細な説明】
【技術分野】
【０００１】
本発明は、ソレノイドコイルへの通電により発生する磁界を利用して弁体を変位させ、流体流路の切替等を行う電磁弁に関する。
【背景技術】
【０００２】
従来から、自動変速機における油圧回路の切り替えや、バルブ可変タイミング装置における油圧の調節等に、上記のような電磁弁が用いられている。すなわち、従来の電磁弁１００は、図２に示すように、通電を受けて磁界を発生するソレノイドコイル１０１と、ソレノイドコイル１０１の外周側に配されて磁束を通すヨーク１０２と、ソレノイドコイル１０１の内周側に配されて軸方向に自在に変位できるプランジャ１０３とを備える。そして、磁界の発生とともにプランジャ１０３が軸方向の一端側に磁気吸引され、プランジャ１０３がシャフト１０４を介して弁体１０５を変位させることで、流路切替等が行われる。
【０００３】
ところで、従来の電磁弁１００には、プランジャ１０３を外周側から摺動自在に支持する支持部材１０６を備え、支持部材１０６の素材に磁性材料を使用することで、プランジャ１０３の外周面と支持部材１０６の内周面との間のクリアランスを極小化してプランジャ１０３の偏心を抑制するとともに、プランジャ１０３に作用する軸方向の磁気吸引力の強化を意図したものがある（例えば、特許文献１参照）。
【０００４】
しかし、この電磁弁１００によれば、ソレノイドコイル１０１の他端側では、径方向においてヨーク１０２とプランジャ１０３との間に支持部材１０６が介在するため、磁束の受渡しは、ヨーク１０２と支持部材１０６との間、および支持部材１０６とプランジャ１０３との間の２重の磁気ギャップを介して行われる。このため、ソレノイドコイル１０１の他端側における磁気ロスが大きく、軸方向の磁気吸引力強化の妨げになっている。
【特許文献１】特開２００６−４６６２７号公報
【発明の開示】
【発明が解決しようとする課題】
【０００５】
本発明は、上記の問題点を解決するためになされたものであり、その目的は、プランジャを外周側から摺動自在に支持する電磁弁において、ヨークとプランジャとの間の磁気ロスを低減して軸方向の磁気吸引力強化を達成することにある。
【課題を解決するための手段】
【０００６】
〔請求項１の手段〕
請求項１に記載の電磁弁は、通電を受けて磁界を発生するソレノイドコイルと、ソレノイドコイルの外周側に配されて磁束を通すヨークと、ソレノイドコイルの内周側に配され、磁界の発生により軸方向に変位して弁体を変位させるプランジャと、プランジャを外周側から軸方向に摺動自在に支持する支持部材とを備える。そして、ヨークは、内周側に突出してプランジャと磁束の受渡しを行う磁束受渡部を有し、磁束受渡部の内周端は、プランジャの外周面に直接的に対向している。
これにより、プランジャは、ソレノイドコイルの他端側で、ヨークの一部である磁束受渡部との間で径方向において直接的に磁束の受渡しができる。このため、ヨークとプランジャとの間の磁気ロスを低減して軸方向の磁気吸引力強化を達成することができる。
【０００７】
〔請求項２の手段〕
請求項２に記載の電磁弁によれば、支持部材は、非磁性材料を素材として設けられている。
これにより、径方向に作用する磁気吸引力（サイドフォース）が大幅に弱まるので、プランジャの外周面に形成する非磁性メッキの厚みを低減することができる。このため、プランジャの母材を拡径して、磁束受渡部の内周端とプランジャの外周面との磁気ギャップをさらに縮小することができる。この結果、ヨークとプランジャとの間の磁気ロスをさらに低減し軸方向の磁気吸引力を強化することができる。
【発明を実施するための最良の形態】
【０００８】
最良の形態の電磁弁は、通電を受けて磁界を発生するソレノイドコイルと、ソレノイドコイルの外周側に配されて磁束を通すヨークと、ソレノイドコイルの内周側に配され、磁界の発生により軸方向に変位して弁体を変位させるプランジャと、プランジャを外周側から軸方向に摺動自在に支持する支持部材とを備える。そして、ヨークは、内周側に突出してプランジャと磁束の受渡しを行う磁束受渡部を有し、磁束受渡部の内周端は、プランジャの外周面に直接的に対向している。
また、支持部材は、非磁性材料を素材として設けられている。
【実施例１】
【０００９】
〔実施例１の構成〕
実施例１の電磁弁１の構成を、図１を用いて説明する。
電磁弁１は、図１に示すように、通電を受けて磁界を発生するソレノイドコイル２と、ソレノイドコイル２の外周側に配されて磁束を通すヨーク３と、ソレノイドコイル２の内周側に配され、磁界の発生により軸方向に変位して弁体４を変位させるプランジャ５とを備える。そして、電磁弁１は、例えば、自動変速機（図示せず）に搭載されて、油圧回路の切り替えを行う。
【００１０】
ソレノイドコイル２を含むソレノイド部８は、コイル素線が巻線された樹脂製のボビン９をコネクタ端子１０とともに樹脂モールドすることで設けられている。そして、ソレノイド部８の内周側および一端側に磁性材料を素材とするコア１１が配され、ソレノイド部８の外周側および他端側にヨーク３が配されるとともに、ソレノイド部８の内周側でコア１１と軸方向に対向するようにプランジャ５が配されている。
【００１１】
このため、ソレノイドコイル２に通電が行われると、コア１１、ヨーク３およびプランジャ５により磁気回路が形成され、プランジャ５は、軸方向一端側に磁気吸引されて変位する。
なお、プランジャ５は、円柱状に設けられ後記する支持部材１４により軸方向に摺動自在に支持されている。また、プランジャ５には、軸方向の変位に伴いプランジャ５の一端側空間と他端側空間との間で気体を移動させるための呼吸孔１５が、軸方向に貫通するように設けられている。
【００１２】
また、コア１１は、プランジャ５と弁体４とを連動させるシャフト１７を、軸方向に摺動自在に支持する。すなわち、シャフト１７は、コア１１に支持されて一端で弁体４に当接するとともに、他端でプランジャ５に当接する。ここで、弁体４は、スプール状に設けられ、種々の開口部（図示せず）を有するスリーブ１８に収容されて軸方向に摺動して変位する。また、弁体４は、所定の復元バネ（図示せず）により軸方向他端側に付勢されている。
【００１３】
このため、弁体４は、プランジャ５が磁気吸引されて軸方向一端側に変位すると、プランジャ５に連動して軸方向一端側に変位し、プランジャ５が磁気吸引されなくなると復元バネに付勢されて軸方向他端側に変位し、さらにシャフト１７を介してプランジャ５を軸方向他端側に変位させる。
【００１４】
〔実施例１の特徴〕
実施例１の電磁弁１の特徴を説明する。
まず、実施例１の電磁弁１は、プランジャ５を外周側から軸方向に摺動自在に支持する支持部材１４を備え、支持部材１４は、例えば樹脂素材のような非磁性材料を素材として設けられている。支持部材１４は、円筒状に設けられ、ソレノイド部８の内周側に配されて軸方向一端側でコア１１と係合する。
また、ヨーク３は、ソレノイド部８の軸方向他端側で、内周側に突出してプランジャ５と磁束の受渡しを行う磁束受渡部２０を有する。そして、磁束受渡部２０の内周端は、プランジャ５の外周面に直接的に対向している。
【００１５】
〔実施例１の効果〕
実施例１の電磁弁１によれば、ヨーク３は、ソレノイド部８の軸方向他端側で、内周側に突出してプランジャ５と磁束の受渡しを行う磁束受渡部２０を有し、磁束受渡部２０の内周端は、プランジャ５の外周面に直接的に対向している。
これにより、プランジャ５は、ソレノイド部８の軸方向他端側で、ヨーク３の一部である磁束受渡部２０との間で径方向において直接的に磁束の受渡しができる。すなわち、ヨーク３とプランジャ５との間の磁束の受渡しは、ヨーク３とプランジャ５との間の１つの磁気ギャップのみを介して行われる。このため、従来のように２重の磁気ギャップを介して磁束の受渡しが行われる場合よりも、ヨーク３とプランジャ５との間の磁気ロスが低減されるので、軸方向の磁気吸引力強化を達成することができる。
【００１６】
また、支持部材１４は、非磁性材料を素材として設けられている。
これにより、径方向に作用する磁気吸引力（サイドフォース）が大幅に弱まるので、プランジャ５の外周面に形成する非磁性メッキの厚みを低減することができる。このため、プランジャ５の母材を拡径して、磁束受渡部２０の内周端とプランジャ５の外周面との磁気ギャップをさらに縮小することができる。この結果、ヨーク３とプランジャ５との間の磁気ロスをさらに低減して軸方向の磁気吸引力を強化することができる。
【図面の簡単な説明】
【００１７】
【図１】電磁弁の要部を示す断面図である（実施例１）。
【図２】電磁弁の要部を示す断面図である（従来例）。
【符号の説明】
【００１８】
１  電磁弁
２  ソレノイドコイル
３  ヨーク
４  弁体
５  プランジャ
１４  支持部材
２０  磁束受渡部
【図１】
2009014070.tif 000003
【図２】
2009014070.tif 000004